(57)【要約】      （修正有）【課題】シートへの給電ハーネスの配索構造を簡素化する。【解決手段】水平方向の移動と垂直方向の回転作動との２軸方向の作動を行う機器に接続するワイヤハーネス１０の配索構造であって、一方向にのみ湾曲可能とした２つの第１、第２キャタピラ型外装材１３，１４を、湾曲方向を９０度相違させて、長さ方向に非連続に配置し、該第１、第２キャタピラ型外装材１３，１４で前記ワイヤハーネス１０を外装し、前記第１キャタピラ型外装材１３の湾曲で水平方向の移動に追従させると共に、前記第２キャタピラ型外装材１４の湾曲で垂直方向の移動に追従させる構成としている。【選択図】図４
2016172515.tif 000002
【特許請求の範囲】
【請求項１】
水平方向の直線移動と垂直方向の回転作動との２軸方向の作動を行う機器に接続するワイヤハーネスの配索構造であって、
一方向にのみ湾曲可能とした２つの第１、第２キャタピラ型外装材を、湾曲方向を９０度相違させて、曲げ方向変換用の中継筒部材を介して配置し、該第１、第２キャタピラ型外装材で前記ワイヤハーネスを外装し、前記第１キャタピラ型外装材の湾曲で水平方向の移動に追従させると共に、前記第２キャタピラ型外装材の湾曲で垂直方向の移動に追従させる構成としていることを特徴とするワイヤハーネスの配索装置。
【請求項２】
前記曲げ方向変換用の中継筒部材の長さ方向の両端に前記第１キャタピラ型外装材の出口と第２キャタピラ型外装材の入口を連結し、前記中継筒部材で連結した第１、第２キャタピラ型外装材で外装したワイヤハーネスをＬ形状のスライダ内に挿通し、
かつ、前記第１キャタピラ型外装材で外装した前記ワイヤハーネスを余長吸収ケース内に摺動自在に挿通すると共に該余長吸収ケースから引き出して、前記スライダの水平筒部に挿入して前記中継筒部材まで配置し、前記第２キャタピラ型外装材で外装したワイヤハーネスを前記中継筒部材から前記スライダの垂直筒部を通して引き出して前記機器に接続し、かつ、前記スライダを前記機器側に固定している請求項１に記載のワイヤハーネスの配索装置。
【請求項３】
前記ワイヤハーネスを接続する２軸方向に作動する機器が、バン型またはワゴン型の自動車に搭載している３列目シートで、該３列目シートは前後スライド可動であると共にシートバックをシートクッション上に折り畳んだ状態で側部車体に跳ね上げて収容姿勢とされるものであり、
前記３列目シートに接続するワイヤハーネスを前記第１キャタピラ型外装材で外装して前記余長吸収ケースに挿通した後に前記スライダ内に挿通し、該スライダから引き出す前記第２キャタピラ型外装材で外装したワイヤハーネスをシートクッションに収容しているシートハーネスと接続する構成としている請求項２に記載のワイヤハーネスの配索装置。
【請求項４】
前記第１、第２キャタピラ型外装材は、帯状のシートを折り曲げて四角筒状に組み立てており、前記シートは長さ方向に沿った４本の折り曲げラインを直交する幅方向に所要間隔をあけて備え、幅方向の一端側の外縁から係止片を長さ方向に間隔をあけて突設する一方、他端側の外縁に沿った位置に係止片を挿入係止するスリット状の係止穴を設け、かつ、折り曲げラインと直交する幅方向に連続するスリットを長さ方向に所定間隔をあけて設け、前記スリットにより一方側にのみ湾曲できる構成としている請求項１乃至請求項３のいずれか１項に記載のワイヤハーネスの配索装置。
【発明の詳細な説明】
【技術分野】
【０００１】
本発明はワイヤハーネスの配索装置に関し、詳しくは、ワイヤハーネスを接続する機器が水平方向と垂直方向の２軸方向に作動される場合に該作動に追従できる配索装置とするもので、特に、自動車の後部に搭載される３列目シートを水平方向に前後スライド可能とすると共に、シートバックをシートクッション上に折り畳んだ後に車体側面に向けて跳ね上げて収納姿勢とする場合に、該３列目シートへの給電用のワイヤハーネス配索装置として好適に用いられるものである。
【背景技術】
【０００２】
特開２００４−３０６６７９号公報（特許文献１）および特開２００６−２９０３５１号公報（特許文献２）で提案されているように、ワゴンタイプやバンタイプの自動車では３列にシートが設けられる場合がある。３列目シートが設置されるとリア側の荷物スペースが狭くなるため、３列目シートを収納姿勢として荷物スペースを大きくできるようにしている。３列目シートの収納姿勢は、シートバックを後方へ回転させてフロア側の収納スペースに挿入して収納姿勢とし、あるいは、シートバックを前方へ回転させてシートクッション上に折り重ね、この折り重ねたシートを車体側面側に跳ね上げて収納姿勢としている。
【０００３】
この種の３列目シートには、通常、電装品を装着していないため、３列目シートへの給電用のワイヤハーネスを配線していない。しかしながら、シートベルトの全席着用の義務化により、ベルト着用確認用のセンサーの取付が必要となり、３列目シートへの給電装置が必要となってきている。
【０００４】
さらに、３列目シートも１列目シートおよび２列目シートと同様に前後スライド機能を持たせることが要望される場合がある。その場合、３列目シートに接続するワイヤハーネスを前後スライド作動に追従させる必要がある。即ち、シートの前後スライド作動に追従させるためにワイヤハーネスを水平方向の前後往復移動させる必要があると共に、収納姿勢とするために、車体側面へ跳ね上げる場合には垂直方向の回転作動に追従させる必要があり、ワイヤハーネスの配索構造が非常に複雑となる。
【０００５】
３列目シートを設けた前記特許文献１、２において、３列目シートへの給電用ハーネスについての開示はない。１列目のスライドシートの給電装置は、特開２０１０−１９３５９９号公報（特許文献３）等に開示されているように、シートに接続するワイヤハーネスは、シート下方の床下に配置した余長吸収装置を挿通して、床上に設置するレールに沿って移動するシートの下面側へ配線している。
【先行技術文献】
【特許文献】
【０００６】
【特許文献１】特開２００４−３０６６７９号公報
【特許文献２】特開２００６−２９０３５１号公報
【特許文献３】特開２０１０−１９３５９９号公報
【発明の概要】
【発明が解決しようとする課題】
【０００７】
しかしながら、３列目シートに接続するワイヤハーネスを３列目シートの床下に配線すると、燃料タンク、ハイブリット車や電気自動車ではバッテリー、タイヤハウスの設置位置で規制を受ける場合が多く、余長吸収装置を含む配索スペースが確保しにくい。かつ、３列目シートが水平方向に前後移動されると共に垂直方向に回転させて車体側面側に跳ね上げて収納姿勢とする場合、２軸方向の移動になるため給電ハーネスの配索構造は非常に複雑になる問題がある。
【０００８】
本発明は前記問題に鑑みてなされたものであり、ワイヤハーネスの配索スペースの問題および３列目シート等のワイヤハーネスが接続される機器が水平方向と垂直方向に２軸方向に作動する場合、該２軸方向の作動にワイヤハーネスを追従できる配索装置を提供することを課題としている。
【課題を解決するための手段】
【０００９】
前記課題を解決するため、本発明は、水平方向の直線移動と垂直方向の回転作動との２軸方向の作動を行う機器に接続するワイヤハーネスの配索構造であって、
一方向にのみ湾曲可能とした２つの第１、第２キャタピラ型外装材を、湾曲方向を９０度相違させて、曲げ方向変換用の中継筒部材を介して配置し、該第１、第２キャタピラ型外装材で前記ワイヤハーネスを外装し、前記第１キャタピラ型外装材の湾曲で水平方向の移動に追従させると共に、前記第２キャタピラ型外装材の湾曲で垂直方向の移動に追従させる構成としていることを特徴とするワイヤハーネスの配索装置を提供している。
【００１０】
前記のように２軸方向に作動する機器に接続するワイヤハーネスを、一方向にのみ湾曲する２個の第１、第２キャタピラ型外装材で湾曲方向を９０度相違させて順次外装している。該構成とすることで、機器が水平方向に作動すると第１キャタピラ型外装材が水平方向に湾曲して追従し、機器が垂直方向に作動すると第２キャタピラ型外装材が垂直方向に湾曲して追従させることができる。
【００１１】
詳細には、前記曲げ方向変換用の中継筒部材の長さ方向の両端に前記第１キャタピラ型外装材の出口と第２キャタピラ型外装材の入口を連結し、該中継筒部材で連結した第１、第２キャタピラ型外装材で外装したワイヤハーネスをＬ形状のスライダ内に挿通し、
かつ、前記第１キャタピラ型外装材で外装した前記ワイヤハーネスを余長吸収ケース内に摺動自在に挿通すると共に該余長吸収ケースから引き出して、前記スライダの水平筒部に挿入して前記中継筒部材まで配置し、前記第２キャタピラ型外装材で外装したワイヤハーネスを前記中継筒部材から前記スライダの垂直筒部を通して引き出して前記機器に接続し、かつ、前記スライダを前記機器に固定している構成とすることが好ましい。
【００１２】
具体的には、前記ワイヤハーネスを接続する２軸方向に作動する機器が、バン型またはワゴン型の自動車に搭載している３列目シートで、該３列目シートは前後スライド可動であると共にシートバックをシートクッション上に折り畳んだ状態で側部車体に横跳ね上げして収容姿勢とされる場合、
前記３列目シートに接続するワイヤハーネスを前記第１キャタピラ型外装材で外装して前記余長吸収ケースに挿通した後に前記スライダ内に挿通し、該スライダから引き出す前記第２キャタピラ型外装材で外装したワイヤハーネスをシートクッションに収容しているシートハーネスと接続する構成としている。
【００１３】
前記第１、第２キャタピラ型外装材は、帯状のシートを折り曲げて四角筒状に組み立てており、前記シートは長さ方向に沿った４本の折り曲げラインを直交する幅方向に所要間隔をあけて備え、幅方向の一端側の外縁から係止片を長さ方向に間隔をあけて突設する一方、他端側の外縁に沿った位置に係止片を挿入係止するスリット状の係止穴を設け、かつ、折り曲げラインと直交する幅方向に連続するスリットを長さ方向に所定間隔をあけて設け、前記スリットにより一方側にのみ湾曲できる構成としている。
【００１４】
前記のように、従来、３列目シートには前後スライド機構が設けられていない場合が多く、また、シートベルトが装着されていても、ベルト装着確認用のセンサが設けれていないため、３列目シートに給電用ハーネスは配線されていない。しかしながら、シートベルトの装着が義務化され、３列目シートにシートベルトの装着確認センサに通電するためのワイヤハーネスの配線が必要となる。このように、前後スライド移動と側部車体に跳ね上げて収納姿勢とする３列目シートに、前記本発明の配索構造としたワイヤハーネスを接続すると、該３列目シートの２軸方向の作動にワイヤハーネスを追従させることができ、３列目シートのベルト装着確認用のセンサに給電することができる。
【発明の効果】
【００１５】
前記のように、本発明のワイヤハーネスの配索装置では、ワイヤハーネスに外装する外装材を一方向にのみ湾曲できるキャタピラ型外装材を用い、かつ、該キャタピラ型外装材の湾曲方向を９０度相違させて２個用いてワイヤハーネスに外装するため、ワイヤハーネスを２軸方向に作動させて機器の２軸方向の作動に追従させることができる。
特に、水平方向と垂直方向の２軸方向に作動する３列目シートに接続するワイヤハーネスの外装材として、２個の第１、第２キャタピラ型外装材を用いると、ワイヤハーネスの配索装置を大型化することなく、３列目シートの作動にスムーズに追従させることができる。
【図面の簡単な説明】
【００１６】
【図１】本発明の実施形態の３列目シートを備えた自動車の側面図である。
【図２】前記３列目シートのシートバックを折り畳んだ状態を示し、（Ａ）は側面図、（Ｂ）は正面図である。
【図３】前記３列目シートを側部車体に向けて跳ね上げて収納姿勢とした状態を示し、（Ａ）は側面図、（Ｂ）は正面図である。
【図４】前記３列目シートへのワイヤハーネス配索装置を示し、（Ａ）は要部正面図、（Ｂ）は右側面図である。
【図５】（Ａ）は前記ワイヤハーネスの配索装置の一部を示す斜視図、（Ｂ）は（Ａ）の一部を除いた斜視図、（Ｃ）は中継筒部材の斜視図である。
【図６】第１、第２キャタピラ型外装材を示し、（Ａ）は斜視図、（Ｂ）は展開図である。
【図７】前記ワイヤハーネス配索装置の余長吸収ケースの作用を示す図面である。
【発明を実施するための形態】
【００１７】
以下、本発明の実施形態を図面を参照して説明する。  
図１に示すように、ワゴン型の自動車に、運転席と助手席とからなる１列目シート１、その後方に２列目シート２、該２列目シート２の後方に左右シート３Ａ、３Ｂとからなる３列目シート３が搭載されている。これらの１列目、２列目及び３列目シートの全シートはいずれも前後方向に移動可能なスライドシートであると共に、シートベルトユニットが取り付けられている。
【００１８】
前記１列目シート１および２列目シート２は前後方向にスライド自在とすると共に、シートバックが傾動するリクライニング機構が設けられている。３列目シートの左右シート３Ａ、３Ｂも１列目シートおよび２列目シートと同様に前記スライド機能を備えている。該３列目の左右シート３Ａ、３Ｂは、図２（Ａ）（Ｂ）に示すように、シートバック５をシートクッション４上に重なるように回転させて折り畳んだ後に、図３（Ａ）（Ｂ）に示すように、側部車体（サイドボデイパネル）３１に向かって跳ね上げて収納姿勢とし、左右シート３Ａと３Ｂの間に大きな荷物スペースＳを設け、バックドアを開いて荷物を積載できるようにしている。
【００１９】
前記のように、３列目シート３をシートクッションが水平な着座姿勢から収納姿勢にするため、３列目シート３をフロア３０から跳ね上げる必要がある。よって、フロア３０に設ける前後方向のレール３４にシートクッション４の下面に突設した車輪３５を摺動自在に嵌合し、シートクッション４の初期位置で車輪３５をレール３４に対して着脱自在とし、上方へ離脱できると共に、上方から下降して嵌合できるものとしている。これにより、各３列目シート３Ａ、３Ｂを前後スライド可能で、且つ、フロア上に搭載する着座姿勢から横跳ね上げして収納姿勢に作動できるものとしている。
【００２０】
３列目シート３をサイドボデイパネル３１に横跳ね上げできるようにするため、図４に示すように、シートクッション４の車体側側面に、前後方向に延在する回転支軸９を突設し、該回転支軸９を回転自在に貫通保持する取付穴２２ａを設けたシート支持台２２を設けている。該シート支持台２２をサイドボデイパネル３１の内面に設けたガイドレール２３内に前後方向にスライド自在に嵌合支持している。該構成として、３列目シート３の前後スライド時にシート支持台２２が回転支軸９を介して前後方向に追従移動している。一方、３列目シート３を収納姿勢とする作動時には、シートクッション４と共に回転支軸９がシート支持台２２の取付穴２２ａ内で回転して横跳ね上げされ、上向き垂直状態となる。この収納姿勢とする回転作動時にはシート支持台２２は追従作動せず、ガイドレール２３内に嵌合保持された状態のままである。
【００２１】
詳しくは、図４（Ａ）（Ｂ）に示すように、シート支持台２２はシートクッション４の前後長さと略同等な長さを有する軸受部分２２ｂに前記取付穴２２ａを貫通して設け、この前後方向に長い取付穴２２ａに回転支軸９を通して回転自在に支承している。これによりシートクッション４を安定保持している。
また、前記軸受部分２２ｂの車体側下面に前記ガイドレール２３内に摺動自在に突出する嵌合突起２２ｃを設けている。さらに、軸受部分２２ｂの前部下面からスライダ固定部２２ｄを突設し、後述するスライダ１１をスライダ固定部２２ｄの室内面側に固定し、３列目シート３の前後移動にシート支持台２２を介してスライダ１１を連動させている。
【００２２】
３列目シート３への給電用のワイヤハーネス１０の配索装置は、図５に示すように、前記スライダ１１、余長吸収ケース１２、ワイヤハーネス１０を外装する第１キャタピラ型外装材１３、第２キャタピラ型外装材１４、第１キャタピラ型外装材１３と第２キャタピラ型外装材１４との間に介設する、曲げ方向変換用の中継筒部材１５（図５（Ｂ）（Ｃ）に示す）とからなる。これら部品は全て絶縁樹脂材からなる。
【００２３】
前記余長吸収ケース１２は略横向きＵ字状の本体１２ａと蓋１２ｂとからなり、サイドボデイパネル３１の内面に、前記シート支持台２２の軸受部分２２ｂより下方で且つスライダ固定部２２ｄより後方の位置に固定している。該余長吸収ケース１２は横長な長円形状とし、下部に引出口１２ｄを設けると共に後部中央に引込口１２ｅを設けている。フロアハーネスから分岐するワイヤハーネス１０を引込口１２ｅから引き込み、内部を迂回させて挿通した後に引出口１２ｄから引き出している。該余長吸収ケース１２の内部および引出口１２ｄから引き出された部分のワイヤハーネス１０に第１キャタピラ型外装材１３を外装している。
【００２４】
前記余長吸収ケース１２の引出口１２ｄから引き出すワイヤハーネス１０をスライダ１１の水平筒部１１ａの先端開口１１ｂに引き込んでいる。これにより、スライダ１１が３列目シート３の前後移動に追従してシート支持台２２を介して連動した際に、余長吸収ケース１２の引出口１２ｄからワイヤハーネス１０を引き出し又は引き込み、余長吸収ケース１２の内部でワイヤハーネス１０の円弧の大小を変えて、ワイヤハーネス１０の余長を吸収している。
【００２５】
図５に示すように、スライダ１１は水平筒部１１ａと垂直筒部１１ｃを連続させたＬ型筒材からなり、水平筒部１１ａの先端開口１１ｂに第１キャタピラ型外装材１３で外装したワイヤハーネス１０を挿入している。該第１キャタピラ型外装材１３の先端から引き出したワイヤハーネス１０を曲げ方向変換用の中継筒部材１５を介して第２キャタピラ型外装材１４で外装して垂直筒部１１ｃ内に摺動自在に挿通し、垂直筒部１１ｃの上端開口１１ｄから第２キャタピラ型外装材１４で外装したワイヤハーネス１０を上向きに引き出している。
【００２６】
図５（Ｃ）に示すように、前記中継筒部材１５はＬ型のスライダ１１の屈曲部も移動できる四角筒材からなり、その上下両端１５ａに第１、第２キャタピラ型外装材１３、１４の先端を挿入する溝１５ｍを設けている。
【００２７】
前記スライダ１１の上端開口１１ｄから引き出す第２キャタピラ型外装材１４で外装したワイヤハーネス１０をシートクッション４の下面に延在させ、ワイヤハーネス１０の先端に接続したコネクタＣ１をシートクッション４内に配線しているシートハーネス１８の先端のコネクタＣ２と嵌合接続している。前記シートハーネス１８は、３列目シート３に装着したシートベルトの装着確認用のセンサ７に接続している。該センサ７はシートベルトに通したタング部材をシートクッション４に取り付けたバックル８に差し込んだ時に、オン作動してシートベルトを乗員が装着したことを検出し、オン信号をシートハーネス１８、ワイヤハーネス１０を介して電子制御ユニット（図示せず）に送信するものとしている。
【００２８】
第１、第２キャタピラ型外装材１３、１４は、図６に示すように、押し出し成形した可撓性樹脂からなる帯状のシート４０を折り曲げて四角筒状に組み立てている。シート４０は長さ方向Ｘに沿った４本の折り曲げライン４１〜４４を直交する幅方向Ｙに所要間隔をあけて備え、幅方向の一端側の外縁から係止片４５を長さ方向Ｘに間隔をあけて突設する一方、他端側の外縁に沿った位置に係止片４５を挿入係止するスリット状の係止穴４６を設けている。かつ、折り曲げライン４１の近くから、折り曲げライン４２、４３をへて折り曲げライン４４の近くまで幅方向に連続するスリット４８を長さ方向に所定間隔をあけて設けている。該スリット４８の両端に亀裂防止用の小円４８ａを設けていると共に、折り曲げライン４２と４３の間のスリット４８に円弧状部４８ｃを設けている。
【００２９】
前記シート４０を平板状態でワイヤハーネス１０を載置し、その後、折り曲げライン４１〜４４を９０度曲げて辺Ｓ１〜Ｓ４からなる四角筒状としてワイヤハーネス１０を囲み、最後に係止片４５を係止穴４６に係止して四角筒状に保持している。
【００３０】
該第１、第２キャタピラ型外装材１３、１４は、スリット４８に沿って開閉し、折り曲げライン４２と４３に挟まれた辺Ｓ３が開閉する一方、係止片４５を係止穴４６に挿入係止して連続する辺Ｓ１とＳ５は幅方向のスリットが無いために開閉しない。よって、該第１、第２キャタピラ型外装材１３、１４は辺Ｓ３を外周面とする一方向にのみ湾曲でき、逆方向には湾曲できない。
【００３１】
図４（Ｂ）および図５（Ａ）（Ｂ）に示すように、余長吸収ケース１２内からスライダ１１の水平筒部１１ａに挿通する第１キャタピラ型外装材１３は開閉する辺Ｓ３を図中下面、開閉しない対向辺を上面に位置させる。これにより、辺Ｓ３を外周として矢印Ｚ１の方向に湾曲可能とし、余長吸収ケース１２内を湾曲しながら摺動できるようにしている。
【００３２】
一方、第２キャタピラ型外装材１４は開閉する辺Ｓ３を図中左側面、対向する開閉しない辺を右側面とし、辺Ｓ３を外周として矢印Ｚ２の方向に湾曲可能としている。
このように、第１キャタピラ型外装材１３と第２キャタピラ型外装材１４の辺Ｓ３の位置を９０度変えて、第１キャタピラ型外装材１３の湾曲方向と第２キャタピラ型外装材１４の湾曲方向を９０度相違させている。これにより、スライダ１１の上端開口１１ｄから引き出すワイヤハーネス１０を図４（Ａ）に示す横向きから上向きへ湾曲でき、３列目シート３のサイドボデイパネル３１への横跳ね上げ作動に追従できるようにしている。
【００３３】
前記第１、第２キャタピラ型外装材１３、１４の湾曲方向を９０度変換させ、その間に曲げ方向変換用の中継筒部材１５を介在させて、曲げ方向の変換時に中継筒部材１５で吸収して捩れが生じないようにしている。
【００３４】
前記のようにワイヤハーネス１０を配索して、シートクッション４内に配線するシートハーネス１８に接続していることにより、３列目シート３の前後移動には、図７に示すように、余長吸収ケース１２内のワイヤハーネス１０の迂回量が増減し、該余長吸収ケース１２からの引き出し量を増減させて追従している。一方、３列目シート３をサイドボデイパネル３１へ跳ね上げ回転時には、シートクッション４の回転作動に、第２キャタピラ型外装材１４で外装したワイヤハーネス１０が水平方向から垂直上向きに回転して追従する。
【００３５】
１列目シート１および２列目シート２への給電ハーネスの配索装置は、前後方向にスライドするため、前記３列目シート用に設ける余長吸収ケース１２と同様な余長吸収ケース（図示せず）を各シートの下方のフロアに設置し、第１キャタピラ型外装材１３と同様なキャタピラ型外装材で外装している。
１列目シート１および２列目シート２はシートバックが前後方向に傾動するリクライニング機構を備えているが、３列目シート３のように跳ね上げて収納姿勢とはしないために、ワイヤハーネスを余長吸収ケースから引き出しおよび引き戻しするだけでよい。よって、湾曲方向が９０度相違する第２キャタピラ型外装材でワイヤハーネスを外装する必要はない。
【００３６】
前記のように、３列目の左右シート３Ａ、３Ｂは前後方向にスライドすると共に、シートクッション４をフロア３０上に搭載した通常の着座姿勢から横跳ね上げで収納姿勢にできるようにしている。この水平方向の前後移動と垂直方向の回転移動とを行う３列目シート３のシートクッション４内のシートハーネス１８にコネクタ接続するワイヤハーネス１０を、余長吸収ケース１２に通して前後スライド移動に追従させ、かつ、湾曲方向を９０度変換できる第１キャタピラ型外装材１３と第２キャタピラ型外装材１４に挿通させていることで、シートクッション４の垂直方向の回転作動に第２キャタピラ型外装材１４を垂直方向に湾曲させることで追従させることができる。よって、前後スライドすると共にサイドボデイパネル３１に跳ね上げ収納する３列目シート３にワイヤハーネス１０を接続することができ、ベルト装着確認用のセンサに給電することができる。
【００３７】
本発明は前記実施形態に限定されず、３列目シートと同様に、ワイヤハーネスを接続する機器が、前後方向にスライドすると共に、垂直方向で回転作動して２軸方向に作動する場合、前記３列目シートへのワイヤハーネス１０と同様に、前後スライド作動に追従出来る余長吸収ケースと第１キャタピラ型外装材、垂直方向の回転作動に追従する第２キャタピラ型外装材を備えた配索装置を好適に用いることができる。
【符号の説明】
【００３８】
１  １列目シート
２  ２列目シート
３（３Ａ、３Ｂ）  ３列目シート
４  シートクッション  
５  シートバック
９  回転支軸
１０  ワイヤハーネス
１１  スライダ
１２  余長吸収ケース
１３  第１キャタピラ型外装材
１４  第２キャタピラ型外装材
１５  曲げ方向変換用の中継筒部材
２２  シート支持台
【図１】
2016172515.tif 000003
【図２】
2016172515.tif 000004
【図３】
2016172515.tif 000005
【図４】
2016172515.tif 000006
【図５】
2016172515.tif 000007
【図６】
2016172515.tif 000008
【図７】
2016172515.tif 000009